【事件の表示】
　特願２０１３−１１３２０３「弱塩基性薬および有機酸を含む薬物送達系」拒絶査定不服審判事件〔平成２５年９月２６日出願公開、特開２０１３−１８９４５５〕について、次のとおり審決する。
【結　論】
　本件審判の請求は、成り立たない。
【理　由】
第１　手続の経緯
　本願は、平成１９年１月２９日に国際出願された特許出願である特願２００８−５５２６１３号（パリ条約による優先権主張　２００６年１月２７日　（ＵＳ）アメリカ合衆国）の一部を平成２５年５月２９日に新たな特許出願としたものであって、平成２７年２月２日付けで拒絶査定がなされたのに対して、平成２７年６月４日に拒絶査定不服の審判請求がなされ、それと同時に手続補正書が提出されたものである。
第２　平成２７年６月４日提出の手続補正についての補正の却下の決定
＜補正の却下の決定の結論＞
　平成２７年６月４日提出の手続補正（以下、「本件補正」という。）を却下する。
＜理由＞
１　補正の内容
　本件補正は特許請求の範囲を補正するものであって、特許請求の範囲の請求項１について、本件補正前の
「少なくとも１つの弱塩基性薬物の、徐放性（ＳＲ）ビーズの１つ以上の集団、および／または時限パルス型放出（ＴＰＲ）ビーズの１つ以上の集団を含む医薬多粒子剤形であって、
　前記弱塩基性薬物が、５〜１４の範囲内のｐＫａおよびｐＨ６．８で２００μｇ／ｍＬ以下の溶解度を有する薬学的に許容可能な窒素（Ｎ）含有薬物または薬学的に許容可能なその塩、および
溶解剤としての少なくとも１つの薬学的に許容可能な有機酸を含み、
　前記ＳＲビーズが、内側バリアコーティングでコーティングされた有機酸含有コア粒子を含み、前記内側バリアコーティング上には前記弱塩基性薬物が積層されており、さらにＳＲ膜がコーティングされており、
　前記ＴＰＲビーズが、内側バリアコーティングでコーティングされた有機酸含有コア粒子を含み、前記内側バリアコーティング上には前記弱塩基性薬物が積層されており、さらに遅延時間膜がコーティングされており、
　前記弱塩基性薬物および前記有機酸は、前記剤形中で相互に接触することがなく、前記有機酸および前記弱塩基性薬物は比較可能な放出プロファイルを示す、医薬多粒子剤形。」を、
「少なくとも１つの弱塩基性薬物の、徐放性（ＳＲ）ビーズの１つ以上の集団、および／または時限パルス型放出（ＴＰＲ）ビーズの１つ以上の集団を含む医薬多粒子剤形であって、
　前記弱塩基性薬物が、５〜１４の範囲内のｐＫａおよびｐＨ６．８で２００μｇ／ｍＬ以下の溶解度を有する薬学的に許容可能な窒素（Ｎ）含有薬物または薬学的に許容可能なその塩、および
溶解剤としての少なくとも１つの薬学的に許容可能な有機酸を含み、
　前記ＳＲビーズが、内側バリアコーティングでコーティングされた有機酸含有コア粒子を含み、前記内側バリアコーティング上には前記弱塩基性薬物が積層されており、さらにＳＲ膜がコーティングされており、
　前記ＴＰＲビーズが、内側バリアコーティングでコーティングされた有機酸含有コア粒子を含み、前記内側バリアコーティング上には前記弱塩基性薬物が積層されており、さらに
、腸溶性ポリマーとの組み合わせで不水溶性ポリマーを含む
　前記弱塩基性薬物および前記有機酸は、前記剤形中で相互に接触することがなく、前記有機酸および前記弱塩基性薬物は比較可能な放出プロファイルを示す、医薬多粒子剤形。」とする補正（以下、「補正事項１」という。）を含むものである。
２　補正の目的
　補正事項１は、ＴＰＲビーズにおける遅延時間膜に関し、「
腸溶性ポリマーとの組み合わせで不水溶性ポリマーを含む
　これは、本件出願当初の請求項３における「前記ＴＰＲビーズが、前記ＳＲビーズ上に塗布された、腸溶性ポリマーとの組み合わせで不水溶性ポリマーを含む外側遅延時間コーティングを含み、…」との記載に基づきなされたものといえる。
　このため、補正事項１は新たな技術的事項を導入するものではないから、特許法第１７条の２第３項に規定する要件を満たしている。また、遅延時間膜の成分を限定するものであり、補正の前後で産業上の利用分野および解決しようとする課題は同一であるから、特許法第１７条の２第５項第２号に掲げる特許請求の範囲の減縮を目的とするものに該当する。
　したがって、補正事項１は特許法第１７条の２第３項及び第５項に規定する要件を満たしている。
３　独立特許要件
　補正事項１は、特許法第１７条の２第５項第２号の場合に該当するから、同条第６項で準用する同法第１２６条第７項の規定に適合しているか否かを検討する。
（１）補正事項１による本願請求項に係る発明
　補正事項１による本願請求項１に記載される発明（以下、「補正発明」という。）は次のとおりである。
「少なくとも１つの弱塩基性薬物の、徐放性（ＳＲ）ビーズの１つ以上の集団、および／または時限パルス型放出（ＴＰＲ）ビーズの１つ以上の集団を含む医薬多粒子剤形であって、
　前記弱塩基性薬物が、５〜１４の範囲内のｐＫａおよびｐＨ６．８で２００μｇ／ｍＬ以下の溶解度を有する薬学的に許容可能な窒素（Ｎ）含有薬物または薬学的に許容可能なその塩、および
溶解剤としての少なくとも１つの薬学的に許容可能な有機酸を含み、
　前記ＳＲビーズが、内側バリアコーティングでコーティングされた有機酸含有コア粒子を含み、前記内側バリアコーティング上には前記弱塩基性薬物が積層されており、さらにＳＲ膜がコーティングされており、
　前記ＴＰＲビーズが、内側バリアコーティングでコーティングされた有機酸含有コア粒子を含み、前記内側バリアコーティング上には前記弱塩基性薬物が積層されており、さらに、腸溶性ポリマーとの組み合わせで不水溶性ポリマーを含む遅延時間膜がコーティングされており、
　前記弱塩基性薬物および前記有機酸は、前記剤形中で相互に接触することがなく、前記有機酸および前記弱塩基性薬物は比較可能な放出プロファイルを示す、医薬多粒子剤形。」
（２）引用刊行物の記載事項
　本願の出願（優先日）前に頒布された刊行物であることが明らかな刊行物Ａ（原査定の引用文献１）には、次の事項が記載されている。
刊行物Ａ：特表平６−５０７９０３号公報
ア　「１．　１）複数層コアと、２）複数層周辺部とからなる成分を含めてなる制御された放出の薬剤ビーズであって、
　上記のコアは、少なくとも（Ａ）適当なヒドロカルビルまたは置換ヒドロカルビルカルボン酸を有する内部と、（Ｂ）該内部を覆う持続的酸放出被膜とを含有し、
　上記の周辺部は、少なくとも（Ａ）少なくとも（ｉ）薬剤化合物および（ｉｉ）表面活性剤の混合物を有する内部と、（Ｂ）その上の持続的薬剤放出被膜とを含有し、
　上記のビーズが適当な水性媒体中で、一般的にｐＨに依存しない薬剤化合物の制御された放出に有効である量の上記の成分を有している場合の薬剤ビーズ。
…
７．　上記の薬剤化合物が弱塩基である、請求項１のビーズ。
８．　上記の薬剤化合物がベンゾチアゼビン化合物である、請求項１のビーズ。
９．　上記のベンゾチアゼビン化合物がクレンチアゼムである、請求項８のビーズ。
…
１２．　適当なヒドロカルビルまたは置換ヒドロカルビルカルボン酸を含有する内部コアをつくり、複数層コアを提供するために、これを持続的酸放出被膜で覆い、上記のコアの上に、少なくとも一つの薬剤化合物と一つの表面活性剤との混合物からなる内側周辺部をつくり、これを持続的薬剤放出被膜で覆うことを含めてなる、制御放出用薬剤ビーズの製法。」（請求の範囲）
イ　「本発明の制御放出用の薬学ビーズは、複数層コアと複数層周辺部を含めてなる。コアまたはコア成分は、少なくとも（Ａ）ヒドロカルビルまたは置換ヒドロカルビルカルボン酸をもった内部と、その上の（Ｂ）持続的酸放出被膜とを含んでいる。
　本明細書で使用される用語のヒドロカルビルは、水素と炭素原子からなることを意味し、カルボン酸またはエステルまたは塩類について使用される時は、酸素原子を包含する。適当なヒドロカルビルまたは置換ヒドロカルビルカルボン酸類は、一般に固体であり、表面活性剤と連係して、薬剤化合物の共溶解度を高める。これらの酸類はカルボキシ基でのみ置換されその他の部分は炭化水素である有機化合物類である。置換ヒドロカルビルカルボン酸類は有機、特に全部飽和された有機置換基をもったヒドロカルビルカルボン酸類である。適当なヒドロカルビルまたは置換ヒドロカルビルカルボン酸は、好ましくはアルキルまたは置換アルキルカルボン酸である。アルキルカルボン酸は、カルボキシ基を除いてすべて飽和されたヒドロカルビルカルボン酸である。置換アルキルカルボン酸は、酸基を除いてすべて飽和されている置換ヒドロカルビルカルボン酸である。酸に複数のカルボキシ官能基が存在するのが有利である。
　アルキルカルボン酸としての適当なヒドロカルビルカルボン酸類の例は、コハク酸、マレイン酸、アジピン酸、リンゴ酸、酒石酸、およびクエン酸を包含する。コハク酸が好ましいヒドロカルビルカルボン酸である。」（４頁右上欄１０行−左下欄１１行）
ウ　「持続的酸放出被膜は、ビーズのコア内部から被膜を通って酸成分の持続的放出を可能とするような被膜である。この被膜は、本発明の完成ビーズのコア内部の酸成分が、その周辺部の内側成分へ放出されるのを可能としている。この被膜によって、持続的薬剤放出被膜を通る薬剤化合物の放出よりも遅い、実質的に線形の速度で、ビーズ内部の酸成分がビーズ周辺部内側部分へ放出出来るようにするのが好ましい。これにより、化合物の全部または実質的に全部が周囲の水性媒体へ放出されてしまうまで、ビーズ周辺部の内側部分に酸が確実に存在できるようにされる。
　持続的酸放出被膜は重合体であり得、少量の水溶性および／または水透過性重合体と組み合わせた、一般的に水透過性でない水に不溶性の重合体を含有しうる。その代わりに、持続的酸放出被膜は、やや水透過性で水に不溶性の重合体を単独で、または少量の水溶性および／または水透過性の重合体と組み合わせて含有できる。
　水不溶性重合体は、水不溶性セルロース系誘導体類、例えばエチルセルロース、セルロースアセテート、セルロースプロピオネート（低、中または高分子量）、セルロースアセテートプロピオネート、セルロースアセテートブチレート、セルロースアセテートフタレート、およびセルローストリアセテートを包含しうる。エチルセルロース、特に４４−５５％のエトキシ含有量をもったエチルセルロースが好ましいセルロース誘導体である。アルコール溶液の形のエチルセルロースを使用するのが好ましい。」（４頁左下欄１２行−右下欄１４行）
エ　「特に興味があるのはジルチアゼムとクレンチアゼムである。クレンチアゼムは８−クロロジルチアゼムとしても知られ、（＋）−シス−（２Ｓ，３Ｓ）−３−（アセトキシ）−８−クロロ−５−［２−（ジメチルアミノ）エチル］−２，３−ジヒドロ−２−（４−メトキシフェニル）−１，５−ベンゾチアゼピン−４（５Ｈ）オンマレエートとして化学的に記述される。
　本発明の制御放出用薬学ビーズは、ｐＨに著しく依存した溶解度をもつ薬剤化合物類、特に弱塩基であり、及び／又は人間の消化管内で出会う高めのｐＨ値では難溶性ないし不溶性である化合物類と一緒に使用するのに、とりわけ良好に適合している。例をあげると、ノスカピン、パパベリン、コデイン、テオフィリン、クレンチアゼム、およびヒドロクロロチアジドのような薬剤化合物類は、弱塩基、及び／または水にあまり溶けないか、または事実上不溶性であり、本発明による処方と投与に特によく適合している。」（５頁右下欄１９行−６頁左上欄１０行）
オ　「持続的薬剤放出被膜は、ビーズからの薬剤化合物の持続的かつ制御された放出を可能とする被膜である。
　持続的薬剤放出被膜は重合体であり得、やや水透過性の水不溶性重合体類と、少量の水溶性および／または水透過性重合体類と組み合わせた、一般に水不透過性の水不溶性重合体類とを包含しうる。」（６頁左下欄１７−２２行）
（３）刊行物Ａに記載された発明
　刊行物Ａには、「（Ａ）適当なヒドロカルビルまたは置換ヒドロカルビルカルボン酸を有する内部と、（Ｂ）該内部を覆う持続的酸放出被膜」とを含有する「複数層コア」を、「（Ａ）少なくとも（ｉ）薬剤化合物および（ｉｉ）表面活性剤の混合物を有する内部」と、「（Ｂ）その上の持続的薬剤放出被膜」とを含有する「複数層周辺部」で覆う「薬剤ビーズ」、そして、該「薬剤ビーズ」は、「適当な水性媒体中で、一般的にｐＨに依存しない薬剤化合物の制御された放出に有効である量の上記の成分を有している」こと、「薬剤化合物」は、「弱塩基」であること、並びに「クレンチアゼム」であることが記載されている（上記（２）ア）。
　これらの点からみて、上記（２）ア−オの摘記事項から、刊行物Ａには、
「弱塩基性薬剤化合物を含む制御放出用薬剤ビーズであって、
　前記弱塩基性薬剤化合物がクレンチアゼム、および
適当なヒドロカルビルまたは置換ヒドロカルビルカルボン酸を含み、
　前記ビーズが、持続的酸放出被膜でコーティングされた、適当なヒドロカルビルまたは置換ヒドロカルビルカルボン酸含有コア粒子を含み、持続的酸放出被膜上には前記弱塩基性薬剤化合物が積層されており、さらに持続的薬剤放出被膜がコーティングされている、
　制御放出用薬剤ビーズ。」
に係る発明（以下、「刊行物発明」という。）が記載されている。
（４）対比
　補正発明と刊行物発明とを対比する。
　「薬剤ビーズ」は、「薬剤化合物の制御された放出」（上記（２）ア）をなすものであるから、「薬剤ビーズ」は補正発明でいう徐放性を有し、「徐放性ビーズ」といえる。また、「薬剤ビーズ」は、刊行物Ａの請求項１２の製法からみて、１つ以上の集団を含む医薬多粒子剤形と認められる。
　「ヒドロカルビルまたは置換ヒドロカルビルカルボン酸」は、「コハク酸、マレイン酸、アジピン酸、リンゴ酸、酒石酸、およびクエン酸を包含する。コハク酸が好ましいヒドロカルビルカルボン酸である。」（上記（２）イ）との記載に鑑みると、補正発明でいう「薬学的に許容可能な有機酸」であり、「適当なヒドロカルビルまたは置換ヒドロカルビルカルボン酸類は、一般に固体であり、表面活性剤と連係して、薬剤化合物の共溶解度を高める。」（上記（２）イ）との記載に鑑みると、溶解剤として働くものと認められる。
　「適当なヒドロカルビルまたは置換ヒドロカルビルカルボン酸を有する内部」を覆う「持続的酸放出被膜」は、「この被膜によって、持続的薬剤放出被膜を通る薬剤化合物の放出よりも遅い、実質的に線形の速度で、ビーズ内部の酸成分がビーズ周辺部内側部分へ放出出来るようにするのが好ましい。」（上記（２）ウ）との記載に鑑みると、酸成分のコアをコーティングする、補正発明でいう「内側バリアコーティング」に相当し、この「持続的酸放出被膜」により、「薬剤化合物」と「ヒドロカルビルまたは置換ヒドロカルビルカルボン酸」は、薬剤ビーズ中で相互に接触することがないものと認められる。
　そして、この「持続的酸放出被膜」を覆う「（ｉ）薬剤化合物および（ｉｉ）表面活性剤の混合物を有する内部」をさらに覆う「その上の持続的薬剤放出被膜」は、「持続的薬剤放出被膜は、ビーズからの薬剤化合物の持続的かつ制御された放出を可能とする被膜である。」（上記（２）オ）との記載に鑑みると、徐放性（ＳＲ）膜と認められる。
　「クレンチアゼム」は、「（＋）−シス−（２Ｓ，３Ｓ）−３−（アセトキシ）−８−クロロ−５−［２−（ジメチルアミノ）エチル］−２，３−ジヒドロ−２−（４−メトキシフェニル）−１，５−ベンゾチアゼピン−４（５Ｈ）オンマレエート」（上記（２）エ）（注：ここでは、マレイン酸塩として記載されている。）、すなわち、窒素含有薬物または薬学的に許容可能なその塩である。また、「クレンチアゼム」は、「弱塩基、及び／または水にあまり溶けないか、または事実上不溶性」（上記（２）エ）であることに鑑みると、補正発明でいう「弱塩基性薬物」であり、「５〜１４の範囲内のｐＫａおよびｐＨ６．８で２００μｇ／ｍＬ以下の溶解度」を満たすものと認められる。
　これらの点を踏まえると、補正発明と刊行物発明とは、
「少なくとも１つの弱塩基性薬物の、徐放性（ＳＲ）ビーズの１つ以上の集団を含む医薬多粒子剤形であって、
　前記弱塩基性薬物が、５〜１４の範囲内のｐＫａおよびｐＨ６．８で２００μｇ／ｍＬ以下の溶解度を有する薬学的に許容可能な窒素（Ｎ）含有薬物または薬学的に許容可能なその塩、および
溶解剤としての少なくとも１つの薬学的に許容可能な有機酸を含み、
　前記ＳＲビーズが、内側バリアコーティングでコーティングされた有機酸含有コア粒子を含み、前記内側バリアコーティング上には前記弱塩基性薬物が積層されており、さらにＳＲ膜がコーティングされており、
　前記弱塩基性薬物および前記有機酸は、前記剤形中で相互に接触することがない、医薬多粒子剤形。」
の点で一致し、次の点で一応相違するものといえる。
＜一応の相違点＞
・補正発明は「前記有機酸および前記弱塩基性薬物は比較可能な放出プロファイルを示す」のに対し、刊行物発明はこれを特定していない点。
　なお、補正発明は、「時限パルス型放出（ＴＰＲ）ビーズの１つ以上の集団」についても規定されているが、「少なくとも１つの弱塩基性薬物の、徐放性（ＳＲ）ビーズの１つ以上の集団、および／
または
（５）判断
　一応の相違点について検討する。
　まず、上記補正発明の「比較可能な放出プロファイルを示す」との文言における「比較可能な」とは、日本語として理解し難いが、本願出願時の外国語明細書（国際公開第２００７／０９００９１号）において「比較可能な」と訳されたと解される「comparable」（上記外国語明細書［０００２］）との文言は、日本語では「匹敵する」、「同等な」と解するのが相当である。
　刊行物Ａには、以下の記載がある。
「…上記のビーズが適当な水性媒体中で、一般的にｐＨに依存しない薬剤化合物の制御された放出に有効である量の上記の成分を有している」（上記（２）ア）
「持続的酸放出被膜は、ビーズのコア内部から被膜を通って酸成分の持続的放出を可能とするような被膜である。この被膜は、本発明の完成ビーズのコア内部の酸成分が、その周辺部の内側成分へ放出されるのを可能としている。この被膜によって、持続的薬剤放出被膜を通る薬剤化合物の放出よりも遅い、実質的に線形の速度で、ビーズ内部の酸成分がビーズ周辺部内側部分へ放出出来るようにするのが好ましい。これにより、化合物の全部または実質的に全部が周囲の水性媒体へ放出されてしまうまで、ビーズ周辺部の内側部分に酸が確実に存在できるようにされる。」（上記（２）ウ）
　これらの記載から、刊行物発明の薬剤ビーズは、薬剤化合物の制御放出を企図しており、酸成分は、この薬剤化合物の実質的に全部が放出されてしまうまで確実に存在するよう、放出できるようにしたものといえ、そうすると、刊行物発明において、この酸成分と薬剤化合物とは、同等の放出プロファイルを有するようにされたものといえる。すなわち、これは、補正発明でいう「有機酸および…弱塩基性薬物は比較可能な放出プロファイルを示す」との特徴に相当するものと認められる。
　このため、一応の相違点に関し、補正発明と刊行物発明とは実質的に相違しない。
４　むすび
　以上のことから、補正発明は、刊行物発明と相違する点が存在せず、刊行物Ａに記載された発明であるから、特許法第２９条第１項第３号に該当し、特許を受けることができない。そうすると、本件補正は、特許法第１７条の２第６項において準用する同法第１２６条第７項の規定に違反しているものと認められるので、同法第１５９条第１項で読み替えて準用する同法第５３条第１項の規定により却下すべきものである。
　よって、結論のとおり決定する。
第３　本願発明
　上記第２で結論したとおり平成２７年６月４日付けの手続補正は却下されたので、本願に係る発明は平成２６年１１月１３日付けの手続補正により補正された特許請求の範囲の請求項１−４０にそれぞれ記載された事項により特定されるとおりのものであり、そのうち、請求項１に係る発明（以下、「本願発明」という。）は次のとおりである。
「少なくとも１つの弱塩基性薬物の、徐放性（ＳＲ）ビーズの１つ以上の集団、および／または時限パルス型放出（ＴＰＲ）ビーズの１つ以上の集団を含む医薬多粒子剤形であって、
　前記弱塩基性薬物が、５〜１４の範囲内のｐＫａおよびｐＨ６．８で２００μｇ／ｍＬ以下の溶解度を有する薬学的に許容可能な窒素（Ｎ）含有薬物または薬学的に許容可能なその塩、および
溶解剤としての少なくとも１つの薬学的に許容可能な有機酸を含み、
　前記ＳＲビーズが、内側バリアコーティングでコーティングされた有機酸含有コア粒子を含み、前記内側バリアコーティング上には前記弱塩基性薬物が積層されており、さらにＳＲ膜がコーティングされており、
　前記ＴＰＲビーズが、内側バリアコーティングでコーティングされた有機酸含有コア粒子を含み、前記内側バリアコーティング上には前記弱塩基性薬物が積層されており、さらに遅延時間膜がコーティングされており、
　前記弱塩基性薬物および前記有機酸は、前記剤形中で相互に接触することがなく、前記有機酸および前記弱塩基性薬物は比較可能な放出プロファイルを示す、医薬多粒子剤形。」
第４　当審の判断
１　引用文献及びその記載事項
　原査定において引用され、本願の出願（優先日）前に頒布された刊行物であることが明らかな下記引用文献１は、上記第２の３（２）における刊行物Ａと同じ文献であり、したがって、該引用文献１には同箇所に摘示したア−オの事項が記載されている。
引用文献１：特表平６−５０７９０３号公報
２　引用文献１に記載された発明
　引用文献１には、上記第２の３（３）において認定した刊行物発明が記載されている。
３　対比・判断
　本願発明と刊行物発明とを対比する。
　上記第２の３（４）に示した点を踏まえると、両者の間に相違点は存在しない。
４　まとめ
　そうすると、本願発明は、刊行物発明と相違する点が存在せず、したがって引用文献１に記載された発明であるから、特許法第２９条第１項第３号に該当し、特許を受けることができないものである。
第５　むすび
　以上のとおりであるから、本願については、他の請求項について検討するまでもなく上記理由により拒絶すべきものである。
　よって、結論のとおり審決する。